(57)【要約】【課題】情報端末装置の誤操作や他人による不正使用を防止する。【解決手段】操作ボタン１のひとつである電源ボタンを、押下時間を変えて複数回押下し、それを電源のオンまたはオフに使用する登録パターンとして登録し、電源をオンまたはオフするときに、電源ボタンが押下されたパターンと登録パターンとが一致すれば、電源をオンまたはオフする。【選択図】図１
2005190335.tif 000002
【特許請求の範囲】
【請求項１】
短い押下時間と長い押下時間の組合せパターンで操作ボタンを操作することで機能する情報端末装置であって、任意のボタン押下の組合せパターンを登録し、前記登録した任意の組合せパターンのとおりに前記操作ボタンが押下されたときに機能を動作させることを特徴とする情報端末装置。
【請求項２】
前記操作ボタンの押下時間を記録することを特徴とする請求項１記載の情報端末装置。
【請求項３】
前記操作ボタンの押下とそれに続く押下との間の前記操作ボタンを放している時間を記録することを特徴とする請求項２記載の情報端末装置。
【請求項４】
前記登録により装置本体のセキュリティロックを行うことを特徴とする請求項1記載の情報端末装置。
【請求項５】
前記機能はセキュリティロックの解除を含むことを特徴とする請求項3記載の情報端末装置。
【請求項６】
1または複数の前記操作ボタンをどの順番で押下しても、押下時間のパターンのみを組合せパターンとして認識する請求項３記載の情報端末装置。
【請求項７】
１または複数の前記操作ボタンの任意の押下順番と押下時間とを組合せパターンとして登録し、登録した前記組合せパターンのとおりに前記操作ボタンが押下されたときに、セキュリティロックを解除する請求項３記載の情報端末装置。
【発明の詳細な説明】
【技術分野】
【０００１】
本発明は、操作ボタンを押下して機能を制御する情報端末装置に関するものである。
【背景技術】
【０００２】
一般の携帯電話は、図１０に示すようにアンテナ９と、表示部１０と、携帯電話の操作に使用する操作ボタン１１とを備えている。前記一般の携帯電話では、電源のオンとオフの切り換えは操作ボタン１１のひとつである電源ボタンを一定時間以上長く押下（以下、「長押し」という）することにより操作するようになっており、またセキュリティロックは数字４桁等のパスワードを入力して解除するようになっている。ところが、電源ボタンを長押しして電源のオンとオフを切り換える方法では、長押しをするつもりではなかったのに誤って長く押してしまったり、ポケットや鞄に携帯電話を収納しているときに、気付かないうちに電源ボタンが何かに押され続けてしまったりして、思わぬ誤操作を招くことがある。
【０００３】
このような誤操作の改善策として、特開平２００２−１５９０５９公報には、予め定めた時間内に予め定めた回数の電源ボタン操作を行うことで、電源をオンにする技術が記載されている（特許文献1参照）。
【特許文献１】特開２００２−１５９０５９号公報  ［（０００７）、（０００９）］
【発明の開示】
【発明が解決しようとする課題】
【０００４】
しかしながら、上述した特開平２００２−１５９０５９公報に記載された方法では、電源ボタンの意に反した長押しによる誤操作は防ぐことができても、他の操作ボタンと間違えて電源ボタンを複数回押してしまい、意に反して電源を切ってしまうといった誤操作には対処できない。また、上述した従来のセキュリティロック解除の方法は、セキュリティロック解除の入力操作を覗き見た他人によって不正に操作されてしまったりする、という問題があった。
【０００５】
本発明は、従来の問題を解決するためになされたもので、誤操作や他人が不正にセキュリティを解除することを防止することのできる情報端末装置を提供するものである。
【課題を解決するための手段】
【０００６】
本発明の情報端末装置は、短い押下時間と長い押下時間の組合せパターンで操作ボタンを操作することで機能する情報端末装置であって、任意のボタン押下の組合せパターンを登録し、登録した任意の組合せパターンのとおりに前記操作ボタンが押下されたときに機能を動作させる構成を有している。
【０００７】
この構成により、機能を制御するときの前記操作ボタンの操作を複雑にすることができる。
【０００８】
また、本発明の情報端末装置は、前記組合せパターンを入力するときに前記操作ボタンの押下時間を記録する構成を有している。
【０００９】
この構成により、使用者が前記操作ボタンを押下するときの癖を機器が記憶することができる。
【００１０】
また、本発明の情報端末装置は、前記組合せパターンを入力するときの前記操作ボタンの押下とそれに続く押下との間の前記操作ボタンを放している時間を記録する構成を有している。
【００１１】
この構成により、使用者が前記操作ボタンを押下するときの癖をより厳密に記憶することができる。
【００１２】
また、本発明の情報端末装置は、前記登録により装置本体のセキュリティロックを行う構成を有している。
【００１３】
この構成により、セキュリティロックを登録する操作を複雑にすることができる。
【００１４】
また、本発明の情報端末装置は、登録した任意の組合せパターンどおりに前記操作ボタンが押下されたときにセキュリティロックの解除を含む構成を有している。
【００１５】
この構成により、セキュリティロックの解除を含む操作を複雑にすることができる。
【００１６】
また、本発明の情報端末装置は、前記操作ボタンの押下の組合せパターンを入力するときに、1または複数の前記操作ボタンをどの順番で押下しても、押下時間のパターンのみを組合せパターンとして認識する構成を有している。
【００１７】
この構成により、登録した組合せパターンを使用して機器を操作するときに、任意の前記操作ボタンを使用することができる。
【００１８】
また、本発明の情報端末装置は、１または複数の前記操作ボタンの任意の押下順番と押下時間とを組合せパターンとして登録し、登録した前記組合せパターンのとおりに前記操作ボタンが押下されたときに、セキュリティロックを解除する構成を有している。
【００１９】
この構成により、セキュリティロックを解除する操作をより複雑にすることができる。
【発明の効果】
【００２０】
本発明は、情報端末装置の操作ボタンの長い押下時間と短い押下時間とを組み合わせた任意の組合せパターンを登録し、この組合せパターンどおりに操作ボタンを操作して機能を制御することにより、誤操作や第三者による不正な操作を防止するという効果を有する情報端末装置を提供することができるものである。
【発明を実施するための最良の形態】
【００２１】
以下、本発明の実施の形態について、図面を参照しながら説明する。
（実施の形態１）
携帯電話の操作ボタンの例を図１０に示すが、操作ボタン１１は電源ボタンと数字ボタンとを含んでいる。
【００２２】
本発明の実施の形態１における情報端末装置のブロック図を図１に、同実施の形態による動作フロー図を図２と図３に示す。図１において、操作ボタンデータ取り込み手段２は、情報端末装置の操作ボタン１により入力されたデータを取り込む。機能制御手段３は機能や動作を制御する。押下時間計時手段４は、組合せパターンの登録時またはその組合せパターンを使用して機器を操作するときに操作ボタン１が押下されている時間を計時する。組合せパターン記憶手段５は、登録する操作ボタン１の組合せパターンを、登録パターンとして記憶する。比較手段６は、操作ボタン１が押下されたときに押下された組合せパターンと、登録パターンとを比較する。電源オンオフスイッチ制御手段７は、電源のオン
とオフとを切り換えるスイッチを制御する。セキュリティロック解除手段８は、セキュリティロックの解除を行う。
【００２３】
以上のように構成された情報端末装置について、図１〜図３を用いてその動作を説明する。
【００２４】
操作ボタン１のひとつである電源ボタン（以下、この電源ボタンは操作ボタン１と記す）を短く押す押し方と長く押す押し方とを組み合せて、モールス信号のような２種類の信号による組合せパターンを作成して登録する方法を、図２に示す。この組合せパターンを使用して情報端末装置の電源を切る方法を、図３に示す。組合せパターンの登録では最初に、図２のステップ１２（Ｓ１２）の組合せパターン入力を行う。Ｓ１２では、図１の操作ボタン１を押すと操作ボタンデータ取り込み手段２により操作ボタン１に対応するデータが取り込まれる。操作ボタン１が押下されるとステップ１３（Ｓ１３）に移行し、操作ボタンデータ取り込み手段５の出力は押下時間計時手段４に入力され、押下時間計時手段４で操作ボタン１が押下されている時間を計時する。ここで、操作ボタン１を短く押下したときの信号を「トン」、長く押したときの信号を「ツー」とするものとする。Ｓ１２で、操作ボタン１がまず短く押され、続けて２回長く押されると、押下時間計時手段４は、押下された時間を計時して押下時間の長短を判断し、それに応じて「トン・ツー・ツー」という信号を出力し、ステップ１４（Ｓ１４）に移行する。Ｓ１４では「トン・ツー・ツー」という操作ボタン１の組合せパターンを、電源を切るときの登録パターンとして組合せパターン記憶手段５に登録し、登録処理を終了する。
電源を切るときは、操作ボタン１のうちの電源ボタンを使用して図３のステップ１５（Ｓ１５）の組合せパターンの入力を行う。操作ボタン１が押下されると、操作ボタンデータ取り込み手段２に対応するデータが取り込まれ、押下時間計時手段４で操作ボタン１が押下されている時間を計時する。押下された時間に応じて押下時間計時手段４は「トン」または「ツー」という信号を比較手段６に送出する。一方でこの比較手段６には、組合せパターン記憶手段５から登録パターンが読み込まれ、ステップ１６（Ｓ１６）に移行する。Ｓ１６では、押下時間計時手段４の出力信号と登録パターンとが比較され、一致すればステップ１７（Ｓ１７）に移行し、機能制御手段６から出力された信号により電源オンオフスイッチ制御手段７は電源スイッチをオフにして、電源は切れる。比較手段６で比較した結果、入力された組合せパターンと登録パターンとが不一致ならば、処理はＳ１５に戻り、電源は切れない。
【００２５】
このような本発明の実施の形態１の情報端末装置によれば、操作ボタン１を短く押す押し方と長く押す押し方の２種類の押しかたを組み合わせた組合せパターンを使用して電源を切ることができる構成を採ることにより、意に反した電源ボタンの押下によって情報端末装置の電源が切れてしまうという誤操作を、簡単な操作で防止することができる。
【００２６】
また、本実施の形態では組合せパターンを使用した操作で情報端末の電源を切るときの方法を説明したが、電源を投入するときにも組合せパターンを使用できる。
（実施の形態２）
次に、本発明の実施の形態２の構成を図１に、フロー図を図４と図５に示す。図４は、操作ボタン１を押下時間を変化させながら複数回押下し、その押下時間の組合せパターンを登録する方法を示す図である。図５は、登録したパターンを使用して情報端末装置のセキュリティロックを解除する方法を示す図である。組合せパターンの登録では最初に、図１０の操作ボタン１１のうち任意の操作ボタンを使用して、図４のステップ１８（Ｓ１８）の組合せパターンの入力を行う。Ｓ１８では、図１の操作ボタン１を押すと操作ボタンデータ取り込み手段２によりボタンに対応するデータが取り込まれる。操作ボタン１が押下されるとステップ１９（Ｓ１９）に移行し、操作ボタンデータ取り込み手段２の出力は押下時間計時手段４に入力され、ボタンが押下されている時間を計時する。ここで、1回
目の押下時間をＴ１、２回目の押下時間をＴ２、３回目の押下時間をＴ３とする。操作ボタン１による組合せパターンの入力が終了すると、ステップ２０（Ｓ２０）の組合せパターン登録に移行し、３回の押下に使用した操作ボタン１の種類とそれぞれの押下時間Ｔ１、Ｔ２、Ｔ３とで構成された図６に示す組合せパターンを、セキュリティロック解除登録パターンとして組合せパターン記憶手段５に登録し、登録処理を終了する。
セキュリティロックを解除するときは、操作ボタン１を使用して図５のステップ２１（Ｓ２１）の組合せパターンの入力を行う。操作ボタン１が押下されると、操作ボタンデータ取り込み手段２に対応するデータが取り込まれ、押下時間計時手段４でボタンが押下されている時間を計時する。押下時間計時手段４の計時データは、比較手段９に送出され、ステップ２２（Ｓ２２）に移行する。Ｓ２２で、比較手段９は、押下された操作ボタン１の種類と押下時間と、組合せパターン記憶手段５から読み出された登録パターンとを比較する。
【００２７】
図７(ａ)のように、押下されたボタンの種類が一致し、かつ押下時間がＴ１、Ｔ２、Ｔ３に対して規定の誤差範囲内であれば、入力された組合せパターンと登録パターンが一致したと判断し、ステップ２３（Ｓ２３）に移行し、機能制御手段３から出力された信号を受けてセキュリティロック解除手段８はセキュリティロックを解除する。比較手段９で比較した結果、図７(ｂ)のように押下時間が誤差範囲外の場合や、図７(ｃ)のように入力に使用した操作ボタン１の種類が不一致の場合は、処理はＳ２１に戻り、セキュリティロックは解除されない。
【００２８】
このような本発明の実施の形態２の情報端末装置によれば、押下する操作ボタン１の種類と押下時間を要素とする組合せパターンを使用してセキュリティロックを解除することができる構成を採ることにより、操作ボタン１の組合せに加えて、使用者が操作ボタン１を操作するときの癖を記憶することができ、第三者による不正な使用から機器を保護することができる。
【００２９】
本実施の形態では、組合せパターンを使用してセキュリティロックを解除する方法について説明したが、同様の方法でセキュリティロックを行うこともできる。
【００３０】
また、本実施の形態では登録する組合せパターンの要素を操作ボタン１の種類と押下時間としたが、押下と押下の間のボタンを放している時間を計時しそれを組合せパターンの要素に加えることで、より厳密な組合せパターンを生成することができる。
（実施の形態３）
本発明の実施の形態３を図８と図９に示す。図８は、実施の形態１に説明した押下時間の長短を要素とする組合せパターンにさらに操作ボタンの種類を要素として追加した組合せパターンと、この組合せパターンに一致する押下例と一致しない押下例を示す。操作ボタン押下例２は、押下時間とボタンの種類が登録パターンと一致しており、図１の機能制御手段３は予め設定された機能を実行する。ところが、操作ボタン押下例１と３は、それぞれ操作ボタンの種類と押下時間とが、登録パターンと不一致であるため、機能制御手段３は予め設定されたの機能を実行しない。
【００３１】
また、本実施の形態では、図８に示すように登録する組合せパターンの要素を操作ボタンの種類と押下時間の長短としたが、図９に示すように、使用する操作ボタンの種類にかかわらず、押下された時間のみを組合せパターンの要素とすることもできる。図９の操作ボタン押下例１と操作ボタン押下例２は、登録パターンと一致する操作ボタン押下例を示す。押下例３は不一致な押下例を示す。このように押下時間のみを組合せパターンの要素とすれば、単純な組合せパターンが、操作を覗き見た第三者にとっては、操作ボタンの種類と押下時間との組合せで構成された複雑な、第三者が再現することが困難な、組合せパターンのように見え、不正使用を抑止することができる。
【産業上の利用可能性】
【００３２】
以上のように、本発明にかかる情報端末装置は、操作ボタンの長い押下時間と短い押下時間とを組み合わせた任意の組合せパターンを登録し、この組合せパターンどおりに操作ボタンを操作して機能を制御することにより、誤操作や第三者による不正な操作を防止するという効果を有し、操作ボタンを押下して機能を制御する情報端末装置等として有用である。
【図面の簡単な説明】
【００３３】
【図１】本発明の実施の形態１と実施の形態２と実施の形態３における情報端末装置のブロック図
【図２】本発明の実施の形態１における情報端末装置の動作説明のためのフロー図
【図３】本発明の実施の形態１における情報端末装置の動作説明のためのフロー図
【図４】本発明の実施の形態２における情報端末の動作説明のためのフロー図
【図５】本発明の実施の形態２における情報端末の動作説明のためのフロー図
【図６】本発明の実施の形態２における情報端末の操作ボタンの組合せパターンの例を示す図
【図７】本発明の実施の形態２における情報端末の操作ボタンの組合せパターンの例を示す図
【図８】本発明の実施の形態３における情報端末の操作ボタンの組合せパターンの例を示す図
【図９】本発明の実施の形態３における情報端末の操作ボタンの組合せパターンの例を示す図
【図１０】一般の携帯電話の例を示す図
【符号の説明】
【００３４】
１  操作ボタン
２  操作ボタンデータ取り込み手段
３  機能制御手段
４  押下時間計時手段
５  組合せパターン記憶手段
６  比較手段
７  電源オンオフスイッチ制御手段
８  セキュリティロック解除手段
９  アンテナ
１０  表示部
１１  操作ボタン
【図１】
2005190335.tif 000003
【図６】
2005190335.tif 000004
【図８】
2005190335.tif 000005
【図９】
2005190335.tif 000006
【図２】
2005190335.tif 000007
【図３】
2005190335.tif 000008
【図４】
2005190335.tif 000009
【図５】
2005190335.tif 000010
【図７】
2005190335.tif 000011
【図１０】
2005190335.tif 000012